(57)【要約】【課題】装着時の痛みや不快感が少なく、安全性が高く、物の取りづらさを改善した付け爪を提供する。【解決手段】高柔軟性かつ低硬度の弾力に富むシリコーンゴムの様な軟質素材を用い、人体の爪の形状に添うような湾曲形状に一体成型され、厚みは０．５ｍｍ程度が好ましく、非常に柔らかく、物に少し触れる時の様な小さい力が加わっただけで方向を選ばず自由自在に容易にぐにゃりと折れ曲がることを特徴とするぐにゃり付け爪。【選択図】図１２
2015066408.tif 000002
【特許請求の範囲】
【請求項１】
高柔軟性かつ低硬度の弾力に富むシリコーンゴムの様な軟質素材を用い、人体の爪の形状に添うような湾曲形状に一体成型され、厚みは０．５ｍｍ程度が好ましく、非常に柔らかく、物に少し触れる時の様な小さい力が加わっただけで方向を選ばず自由自在に容易にぐにゃりと折れ曲がることを特徴とするぐにゃり付け爪。
【発明の詳細な説明】
【技術分野】
【０００１】  本発明は、爪に貼り付けて装着する付け爪に関するものである。
【背景技術】
【０００２】  服装や化粧などの装いのひとつとして、ネイルファッションがある。爪を長く伸ばすことや爪にネイルエナメルを塗ることのかわりに、両面テープなどの接着剤で人体の爪に接着することで長く美しく装飾された爪にする人工爪（以下、「付け爪」と言う）がある。【０００３】  従来、付け爪は、ＡＢＳ樹脂などの硬質素材からなるものが主流であった。硬質素材からなる付け爪（以下、「既存硬質付け爪」と言う）は、柔軟性はほとんど無く、あっても人体の爪程度である。
軟質素材からなる付け爪（以下、「既存軟質付け爪」と言う）としては、付け爪の「折れ跡」や「割れ」を防いだり、使用者の爪（以下、「地爪」と言う）の湾曲形状の個人差に対応させるものがあった（特許文献１）。また、子供用玩具の付け爪に軟質素材からなるものがあった。既存軟質付け爪は、人体の爪よりも柔軟性がある。
【先行技術文献】
【特許文献】
【０００４】
【特許文献１】特許第４１５００６８号公報
【発明の概要】
【発明が解決しようとする課題】
【０００５】  図１４は既存軟質付け爪を装着し表面側から人の指で既存軟質付け爪の爪先を軽く押す動作をした状態を示す側面図、図１５は既存軟質付け爪を装着し裏面側から人の指で既存軟質付け爪の爪先を軽く押す動作をした状態を示す側面図である。各々（ａ）は押す前、（ｂ）は押した時の図である。既存軟質付け爪の爪先は、表面側から押した場合は折れ曲がるが、裏面側から押した場合は少々たわむ程度で折れ曲がらない。また、図示しないが、既存硬質付け爪で同様の動作をした場合、既存硬質付け爪の爪先は表面側から押しても裏面側から押しても折れ曲がらない。
そのため、既存の付け爪で、指の輪郭位置から先に長くなっているものを装着すると、指先や地爪に痛みや不快感を感じることがあった。これは、物に触れるたびに付け爪の爪先に力が加わることで衝撃が伝わり、地爪に負担が掛かったためである。既存軟質付け爪の場合、既存硬質付け爪と比較して柔軟性があるため、その分、地爪の負担は多少減少するが、相応の痛みや不快感があった。もちろん、前述した図１４と図１５の各々（ｂ）の状態の時にも痛みや不快感があった。【０００６】  さらに、既存の付け爪は、安全性に問題があった。付け爪の爪先をぶつけたり引っ掛けたりした際に、付け爪と共に地爪を損傷してしまうことがあった。
特に、付け爪の爪先の裏面側から力が加えられた場合、その力が付け爪を剥がす力として作用するので、地爪にかなりの衝撃があった。既存硬質付け爪の場合は、折れたり割れたりして、その時に地爪にまで「ひび」が入る等の怪我をすることがあった。既存軟質付け爪の場合は、ある程度の柔軟性があるので、「折れ跡」や「割れ」を防ぐことができた。しかし、容易に折れ曲がる方向に限界があることに加え、割れたりしないことが災いして、付け爪と共に地爪を剥がしてしまう恐れがあった。
既存硬質付け爪は全体部分が硬く、既存軟質付け爪は爪の付け根部分（甘皮部分）に対応する部分は柔らかいが、爪先に近づくにつれて厚く硬くなっているものが多く、更にネイルエナメルを塗り重ねることにより柔軟性は低下するので、いずれも他人にぶつかったりした際に相手に痛みを与えたり怪我をさせてしまう恐れがあった。【０００７】  また、既存の付け爪を装着した状態では、指で物を取りづらい場合が多く、長い爪に慣れていない人の場合は特に、不便を感じる度合いが強かった。例えば、テーブル上にある硬貨を指で取る時、長い付け爪を装着していると爪先が邪魔になり、うまく取ることができなかったりした。【０００８】  本発明は、上記課題を解決すべくなされたものであり、装着時の痛みや不快感が少なく、安全性が高く、物の取りづらさを改善した付け爪を提供することを目的とする。
【課題を解決するための手段】
【０００９】  本発明は、高柔軟性かつ低硬度の弾力に富むシリコーンゴムの様な軟質素材を用い、人体の爪の形状に添うような湾曲形状に一体成型された付け爪である。厚みは０．５ｍｍ程度が好ましく、非常に柔らかく、物に少し触れる時の様な小さい力が加わっただけで方向を選ばず自由自在に容易にぐにゃりと折れ曲がる。
以上を特徴とするぐにゃり付け爪である。
【発明の効果】
【００１０】  本発明によれば、付け爪の装着時の痛みや不快感を少なくできる。人や物に当たった場合の被害を従来よりも小さくし、使用者のみならず使用者の周りの人や物にとっての安全性までも高めることができる。怪我が心配で長い付け爪に抵抗を感じていた人でも、安心感を持つことができる。装着した状態での物の取りづらさを改善できる。弾力に富むため、外部からの加圧により折れ曲がった後、加圧が取り除かれれば直ぐにもとの形状に戻る。
【図面の簡単な説明】
【００１１】
【図１】本発明の実施例を示す平面図
【図２】図１におけるＷ−Ｗ断面図
【図３】図１におけるＬ−Ｌ断面図
【図４】本発明の裏面側を内側にして図１におけるＷ−Ｗ線を中央になるように折り曲げた状態を示す斜視図
【図５】本発明の裏面側を内側にして図１におけるＬ−Ｌ線を中央になるように折り曲げた状態を示す斜視図
【図６】本発明の表面側を内側にして図１におけるＷ−Ｗ線を中央になるように折り曲げた状態を示す斜視図
【図７】本発明の表面側を内側にして図１におけるＬ−Ｌ線を中央になるように折り曲げた状態を示す斜視図
【図８】本発明を装着し表面側から人の指で本発明の爪先を軽く押す動作をした状態を示す側面図
【図９】本発明を装着し裏面側から人の指で本発明の爪先を軽く押す動作をした状態を示す側面図
【図１０】本発明の装着状態での動作例を示す斜視図
【図１１】図１０のＡ部分の拡大斜視図
【図１２】本発明の装着状態での動作例を示す斜視図
【図１３】図１２（ｂ）のＢ部分の拡大斜視図
【図１４】既存軟質付け爪を装着し表面側から人の指で既存軟質付け爪の爪先を軽く押す動作をした状態を示す側面図
【図１５】既存軟質付け爪を装着し裏面側から人の指で既存軟質付け爪の爪先を軽く押す動作をした状態を示す側面図
【発明を実施するための形態】
【００１２】  以下、本発明の実施例について図を用いて説明する。
図１は本発明の実施例を示す平面図、図２は図１におけるＷ−Ｗ断面図、図３は図１におけるＬ−Ｌ断面図である。
図４は本発明の裏面側を内側にして図１におけるＷ−Ｗ線を中央になるように折り曲げた状態を示す斜視図である。
図５は本発明の裏面側を内側にして図１におけるＬ−Ｌ線を中央になるように折り曲げた状態を示す斜視図である。
図６は本発明の表面側を内側にして図１におけるＷ−Ｗ線を中央になるように折り曲げた状態を示す斜視図である。
図７は本発明の表面側を内側にして図１におけるＬ−Ｌ線を中央になるように折り曲げた状態を示す斜視図である。
本発明は、高柔軟性かつ低硬度の弾力に富むシリコーンゴムの様な軟質素材を用い、人体の爪の形状に添うような湾曲形状に一体成型され、厚みは０．５ｍｍ程度が好ましく、非常に柔らかく、物に少し触れる時の様な小さい力が加わっただけで図４〜図７に示した以外にも方向を選ばず自由自在に容易にぐにゃりと折れ曲がることを特徴とするぐにゃり付け爪（１）である。
ぐにゃり付け爪（１）は、ゴムの硬度を測定するデュロメーターＡ硬度計による硬度が３５以下であることが好ましい。
ぐにゃり付け爪（１）の長さは長めに設定しており、ぐにゃり付け爪（１）の幅の２〜３倍とする。鋏でカットすれば、使用者の好みで長さを調節することも可能である。
ぐにゃり付け爪（１）は、本発明の「高柔軟性かつ低硬度で弾力に富む」という特徴を損なわない方法で着色する等の装飾が施されることもある。例えば、ぐにゃり付け爪（１）の成型時の原料に顔料やラメ粉末等を添加して調色したり、着色後に折り曲げても「ひび割れ」や「剥がれ」を起こさない柔軟性のある塗料でぐにゃり付け爪（１）の表面を塗装する等である。
【００１３】  本発明は以上のような構成であり、以下、本発明の装着方法を説明する。
各地爪の幅のサイズに対応したぐにゃり付け爪（１）を選び、必要ならば鋏でカットして長さを調節する。その後ぐにゃり付け爪（１）を、ぐにゃり付け爪（１）の素材に適した付け爪用両面テープや付け爪用接着剤で地爪に接着する。なお、ぐにゃり付け爪（１）は高柔軟性のため、地爪の湾曲形状の個人差にも問題なく対応できる。
【００１４】  図８は本発明を装着し表面側から人の指で本発明の爪先を軽く押す動作をした状態を示す側面図、図９は本発明を装着し裏面側から人の指で本発明の爪先を軽く押す動作をした状態を示す側面図である。各々（ａ）は押す前、（ｂ）は押した時の図である。ぐにゃり付け爪の爪先（２）は表面側から押しても、裏面側から押しても、既存軟質付け爪の爪先（５）よりもはるかに容易にぐにゃりと折れ曲がる。そのため地爪に負担が掛からず、物に触れても指先や地爪に痛みや不快感を感じ難い。
図１４は既存軟質付け爪（４）を装着し表面側から人の指で既存軟質付け爪の爪先（５）を軽く押す動作をした状態を示す側面図、図１５は既存軟質付け爪（４）を装着し裏面側から人の指で既存軟質付け爪の爪先（５）を軽く押す動作をした状態を示す側面図である。各々（ａ）は押す前、（ｂ）は押した時の図である。既存軟質付け爪の爪先（５）は、表面側から押した場合は折れ曲がるが、裏面側から押した場合は少々たわむ程度で折れ曲がらない。また、図示しないが、既存硬質付け爪で同様の動作をした場合、既存硬質付け爪の爪先は表面側から押しても裏面側から押しても折れ曲がらない。
指をぶつけたりして、ぐにゃり付け爪の爪先（２）の裏面側から外力が掛かった場合、ぐにゃり付け爪の爪先（２）が容易に折れ曲がるので、その力がぐにゃり付け爪（１）を剥がす力として作用し難いため、地爪の損傷を回避できる。なお、ぐにゃり付け爪の爪先（２）に他の方向から外力が掛かった場合も地爪の損傷を回避できるということは言うまでもない。
【００１５】  図１０は本発明の装着状態での動作例を示す斜視図、図１１は図１０のＡ部分の拡大斜視図である。ぐにゃり付け爪（１）を装着した状態の指を頬に当てる動作を示す。ぐにゃり付け爪（１）は人体の柔らかい部分に当てた場合でも、ぐにゃり付け爪の爪先（２）が容易に折れ曲がるだけでなく痛みを感じないほど柔らかいので、人や物にぶつかった時、既存の付け爪と比較して安全性が高い。また、これほど柔らかいので手を握った時にぐにゃり付け爪の爪先（２）が手に食い込むことも無く、握手をする機会があった時にも相手に対して気兼ねする必要が無い。
人込みを歩行中の時など、成人の指先の高さは幼児の顔の辺りの高さに位置することがある。幼児の動きは予測不可能であることが多く、思わぬところでぶつかることもある。そのような時、その成人がぐにゃり付け爪（１）を装着していたとしても、既存の付け爪と比較して安全性が高い。
【００１６】  図１２は本発明の装着状態での動作例を示す斜視図、図１３は図１２（ｂ）のＢ部分の拡大斜視図である。ぐにゃり付け爪（１）を装着した状態でテーブル上にある硬貨を指で取る時の動作を示す。（ａ）から（ｂ）を経て（ｃ）に至る。ぐにゃり付け爪の爪先（２）は容易に折れ曲がるので、指で物を取る時に長いぐにゃり付け爪（１）を装着していたとしても、既存の付け爪ほど邪魔に感じない。
【００１７】  以上、本発明の実施例について説明したが、具体的な記載内容は、特に本発明を限定するものではない。
【符号の説明】
【００１８】１  ぐにゃり付け爪
２  ぐにゃり付け爪の爪先
３  指
４  既存軟質付け爪
５  既存軟質付け爪の爪先
【図１】
2015066408.tif 000003
【図２】
2015066408.tif 000004
【図３】
2015066408.tif 000005
【図４】
2015066408.tif 000006
【図５】
2015066408.tif 000007
【図６】
2015066408.tif 000008
【図７】
2015066408.tif 000009
【図８】
2015066408.tif 000010
【図９】
2015066408.tif 000011
【図１０】
2015066408.tif 000012
【図１１】
2015066408.tif 000013
【図１２】
2015066408.tif 000014
【図１３】
2015066408.tif 000015
【図１４】
2015066408.tif 000016
【図１５】
2015066408.tif 000017